(57)【要約】【課題】装着部材を水平旋回可能な旋回機構を設けてなるから、被介護者を車椅子に乗せて便器に対して前向きの状態でトイレ室内に入り、トイレ室内で旋回機構により被介護者を便器に対して後ろ向きの状態に旋回し、この後ろ向きの状態のまま、便器に被介護者を着座させることができ、車椅子と便器との間での被介護者の移行を円滑に行うことができ、かつ、後ろ向きの状態で車椅子に乗せた状態から移行する従来の場合に比べ、持ち上げ高さを低くすることができ、介護者の労苦を軽減することができる。【解決手段】トイレ室Ｔの上部に設けられたガイド機構１と、ガイド機構により走行自在に設けられた走行部材２と、走行部材に設けられた巻上機構３と、巻上機構により上下調節自在に吊下支持され、被介護者Ｗに装着可能な装着部材４とからなり、装着部材を水平旋回可能な旋回機構５を設けてなる。【選択図】        図１
2009095472.tif 000002
【特許請求の範囲】
【請求項１】
トイレ室の上部に設けられたガイド機構と、該ガイド機構により走行自在に設けられた走行部材と、該走行部材に設けられた巻上機構と、該巻上機構により上下調節自在に吊下支持され、被介護者に装着可能な装着部材とからなり、上記装着部材を水平旋回可能な旋回機構を設けてなることを特徴とするトイレ用介護補助装置。
【請求項２】
上記巻上機構は、少なくともトイレ室に進入した車椅子の臀部載置面の高さとトイレ室に設置された便器の臀部載置面の高さとのレベル差を上下調節自在であることを特徴とする請求項１記載のトイレ用介護補助装置。
【請求項３】
上記ガイド機構は上記トイレ室内に設置可能な構築体に設けられていることを特徴とする請求項１又は２記載のトイレ用介護補助装置。
【請求項４】
上記巻上機構を複数個設け、該各複数個の巻上機構により上記装着部材を介して上記被介護者の複数部位を吊下支持可能に設けてなることを特徴とする請求項１〜３のいずれか１項に記載のトイレ用介護補助装置。
【請求項５】
上記装着部材は、上記複数個の各巻上機構に各別に吊下され、上半身部、大腿部及び膝部を吊下支持可能な上半身支持部、大腿支持部及び膝支持部からなることを特徴とする請求項４記載のトイレ用介護補助装置。
【請求項６】
上記走行部材と上記複数個の巻上機構との間に該巻上機構と隣り合う巻上機構との間隔を調節可能な間隔調節機構を設けてなることを特徴とする請求項４又は５記載のトイレ用介護補助装置。
【発明の詳細な説明】
【技術分野】
【０００１】
本発明は例えば高齢者や患者、身体障害者等に用いられるトイレ用介護補助装置に関するものである。
【背景技術】
【０００２】
従来この種の介護補助装置として、トイレ室を含む室内の天井部分にガイドレールを配設し、このガイドレールに走行部材を走行自在に設け、該走行部材に被介護者に装着可能な装着部材を吊下配設してなる構造のものが知られている。
【特許文献１】特開平１−１９２３５５号
【発明の開示】
【発明が解決しようとする課題】
【０００３】
しかしながらこれら上記従来構造の場合、上記被介護者に装着可能な装着部材は単に吊下されている構造であるから、被介護者を前後に旋回させることができず、被介護者を車椅子に乗せてトイレ室内に入ったり、トイレ室内から出たりするとき、便器の配置状、車椅子を被介護者が便器に対して後ろ向きの状態で進行させることになると共にこの後ろ向き状態において、被介護者を便器に載せたり、便器から車椅子に乗せたりすることは車椅子の背もたれ部や左右のハンドル等の存在により持ち上げ高さが大きくなると共に既存のトイレ室は比較的狭いこともあって介護者に労苦を強いることがあるという不都合を有している。
【課題を解決するための手段】
【０００４】
本発明はこれらの不都合を解決することを目的とするもので、本発明のうちで、請求項１記載の発明は、トイレ室の上部に設けられたガイド機構と、該ガイド機構により走行自在に設けられた走行部材と、該走行部材に設けられた巻上機構と、該巻上機構により上下調節自在に吊下支持され、被介護者に装着可能な装着部材とからなり、上記装着部材を水平旋回可能な旋回機構を設けてなることを特徴とするトイレ用介護補助装置にある。
【０００５】
又、請求項２記載の発明は、上記巻上機構は、少なくともトイレ室に進入した車椅子の臀部載置面の高さとトイレ室に設置された便器の臀部載置面の高さとのレベル差を上下調節自在であることを特徴とするものであり、又、請求項３記載の発明は、上記ガイド機構は上記トイレ室内に設置可能な構築体に設けられていることを特徴とするものである。
【０００６】
又、請求項４記載の発明は、上記巻上機構を複数個設け、該各複数個の巻上機構により上記装着部材を介して上記被介護者の複数部位を吊下支持可能に設けてなることを特徴とするものであり、又、請求項５記載の発明は、上記装着部材は、上記複数個の各巻上機構に各別に吊下され、上半身部、大腿部及び膝部を吊下支持可能な上半身支持部、大腿支持部及び膝支持部からなることを特徴とするものであり、又、請求項６記載の発明は、上記走行部材と上記複数個の巻上機構との間に該巻上機構と隣り合う巻上機構との間隔を調節可能な間隔調節機構を設けてなることを特徴とするものである。
【発明の効果】
【０００７】
本発明は上述の如く、請求項１記載の発明にあっては、装着部材を水平旋回可能な旋回機構を設けてなるから、被介護者を車椅子に乗せて便器に対して前向きの状態でトイレ室内に入り、トイレ室内で旋回機構により被介護者を便器に対して後ろ向きの状態に旋回し、この後ろ向きの状態のまま、便器に被介護者を着座させることができ、車椅子と便器との間での被介護者の移行を円滑に行うことができ、かつ、後ろ向きの状態で車椅子に乗せた状態から移行する従来の場合に比べ、持ち上げ高さを低くすることができ、介護者の労苦を軽減することができる。
【０００８】
又、請求項２記載の発明にあっては、上記巻上機構は、少なくともトイレ室に進入した車椅子の臀部載置面の高さとトイレ室に設置された便器の臀部載置面の高さとのレベル差を上下調節自在であるから、巻上機構の構造を簡素化することができると共に軽量化を図ることができ、又、請求項３記載の発明にあっては、上記ガイド機構は上記トイレ室内に設置可能な構築体に設けられているから、既存のトイレ室に容易に設置することができる。
【０００９】
又、請求項４記載の発明にあっては、上記巻上機構を複数個設け、各複数個の巻上機構により上記装着部材を介して上記被介護者の複数部位を吊下支持可能に設けているから、各複数個の巻上機構を各別に上下調節することにより被介護者の吊下姿勢を水平及び前後方向に調節することができ、車椅子及び便器に対する移行姿勢並びに着座姿勢を良好に調節することができ、又、請求項５記載の発明にあっては、上記装着部材は、上記複数個の各巻上機構に各別に吊下され、上半身部、大腿部及び膝部を吊下支持可能な上半身支持部、大腿支持部及び膝支持部からなるので、各複数個の巻上機構を各別に上下調節することにより被介護者の吊下姿勢を水平及び前後方向に容易に調節することができ、車椅子及び便器に対する移行姿勢並びに着座姿勢を良好に調節することができ、又、請求項６記載の発明にあっては、上記走行部材と上記複数個の巻上機構との間に巻上機構と隣り合う巻上機構との間隔を調節可能な間隔調節機構を設けてなるから、被介護者の体サイズや体型に対する融通性を高めることができ、良好な吊下状態を得ることができる。
【発明を実施するための最良の形態】
【００１０】
図１乃至図９は本発明の実施の形態例を示し、１はガイド機構であって、この場合、ガイドレール１ａが用いられ、トイレ室Ｔ内に設置可能な構築体Ｆを設置し、構築体Ｆにトイレ室の上部にしてトイレ室Ｔの出入口Ｔ1側と便器Ｇ側との間で延びてガイドレール１ａを設けて構成している。尚、既存のトイレ室Ｔに設置する場合に構築体Ｆを必要とするものの、新設の場合にはトイレ室Ｔの工事と同時にガイド機構１としてのガイドレール１ａを設置することになる。
【００１１】
２は走行部材であって、この場合、図２、図５の如く、上記ガイドレール１ａをＨ形鋼により製作すると共に走行部材２を樋状に形成し、走行部材２を左右一対の計４個のガイドロール２ａ・・により走行自在に吊下状に設けている。
【００１２】
３は巻上機構であって、この場合、複数個の巻上機構として３個のチェーンブロックが用いられ、このチェーンブロックは、本体部３ａに巻上チェーン３ｂ及び操作チェーン３ｃが設けられ、巻上チェーン３ｂの下端部にフック部３ｄが設けられ、本体部３ａを走行部材２に吊下状に設け、操作チェーン３ｃを巻き上げ及び巻き解き操作することにより巻上チェーン３ｂを巻上及び巻き解き動作させる構造となっている。この巻上機構３は、少なくともトイレ室Ｔに進入した車椅子Ｋの臀部載置面Ｋ1の高さとトイレ室Ｔに設置された便器Ｇの臀部載置面Ｇ1の高さとのレベル差を上下調節自在に構成されている。
【００１３】
４は装着部材であって、被介護者Ｗに装着可能に形成され、上記複数個たる３個の巻上機構３・３・３により被介護者Ｗの複数部位を吊下支持可能に設けられ、この場合、上記複数個の各巻上機構３・３・３に各別に吊下され、上半身部Ｗ1、大腿部Ｗ2及び膝部Ｗ3を吊下支持可能な中間杆３ｆを有する上半身支持部４ａ、大腿支持部４ｂ及び膝支持部４ｃにより構成されている。
【００１４】
５は旋回機構であって、この場合、上記走行部材２と上記巻上機構３との間に設けられ、即ち、上記走行部材２に旋回軸６により旋回部材７を水平旋回自在に設け、この旋回部材７に３個の吊下軸８・８・８を設け、この各吊下軸８・８・８に巻上機構３としてのチェーンブロックの本体部３ａの吊下フック３ｅを係合し、旋回部材７を旋回軸６を中心として水平旋回させることにより上記装着部材４を水平旋回自在に設けて構成している。
【００１５】
９は間隔調節機構であって、この場合、上記走行部材２と上記複数個の巻上機構３・３・３との間に設けられ、すなわち、上記旋回部材７に３個の調節長穴７ａ・７ａ・７ａを形成し、この調節長穴７ａ・７ａ・７ａに上記吊下軸８・８・８を摺動自在に係合し、吊下軸８・８・８と調節長穴７ａ・７ａ・７ａとの摺動により巻上機構３と隣り合う巻上機構３との間隔を調節可能に設けて構成している。
【００１６】
この実施の形態例は上記構成であるから、例えば、図６の如く、被介護者Ｗを車椅子Ｋに載せた前向き状態でトイレ室Ｔ内に出入口Ｔ1を介して前進して進入し、予め被介護者Ｗに装着部材４を装着し、装着部材４を巻上機構３により吊下支持し、巻上機構３により装着部材４を介して被介護者Ｗを吊下すると共に被介護者Ｗを便器Ｗの高さに応じて上下調節し、図８の如く、この吊下状態で車椅子Ｋを後退させ、旋回機構５により装着部材４を旋回させて被介護者Ｗを前向き状態から便器Ｇに対して後ろ向き状態に旋回し、図９の如く、被介護者Ｗを押動してガイド機構１のガイドレール１ａに沿って走行部材２を便器Ｇ側に走行させ、便器Ｗの上方位置において、巻上機構３により装着部材４を介して被介護者Ｗを便器Ｗの高さに応じて上下調節し、被介護者Ｗを便器Ｇに着座させることになり、そして、被介護者Ｗの用便後において、巻上機構３により装着部材４を介して被介護者Ｗを便器Ｗより持ち上げ、被介護者Ｗを押動してガイド機構１のガイドレール１ａに沿って走行部材２をトイレ室Ｔの出入口Ｔ1側に走行させ、旋回機構５により装着部材４を旋回させて被介護者Ｗを後向き状態から後前向き状態に旋回し、巻上機構３により装着部材４を介して被介護者Ｗを上下調節し、空の車椅子Ｋをトイレ室Ｔ内に出入口Ｔ1を介して前進して進入し、この車椅子Ｋに被介護者Ｗを載せ、被介護者Ｗを車椅子Ｋに載せた前向き状態でトイレ室Ｔ内に出入口Ｔ1を介して後退してトイレ室Ｔから出ることになる。
【００１７】
したがって、上記装着部材４を水平旋回可能な旋回機構５を設けてなるから、被介護者Ｗを車椅子Ｋに乗せて便器Ｇに対して前向きの状態でトイレ室Ｔ内に入り、トイレ室Ｔ内で旋回機構５により被介護者Ｗを便器に対して後ろ向きの状態に旋回し、この後ろ向きの状態のまま、便器Ｇに被介護者Ｗを着座させることができ、車椅子Ｋと便器Ｇとの間での被介護者Ｗの移行を円滑に行うことができ、かつ、後ろ向きの状態で車椅子Ｋに乗せた状態から移行する従来の場合に比べ、持ち上げ高さを低くすることができ、介護者の労苦を軽減することができる。
【００１８】
又、この場合、上記巻上機構３は、少なくともトイレ室Ｔに進入した車椅子Ｋの臀部載置面Ｋ1の高さとトイレ室Ｔに設置された便器Ｇの臀部載置面Ｇ1の高さとのレベル差を上下調節自在であるから、巻上機構３の構造を簡素化することができると共に軽量化を図ることができ、又、この場合、上記ガイド機構１は上記トイレ室Ｔ内に設置可能な構築体Ｆに設けられているから、既存のトイレ室Ｔに容易に設置することができる。
【００１９】
又、この場合、上記巻上機構３を複数個設け、各複数個の巻上機構３・３・３により上記装着部材４を介して上記被介護者Ｗの複数部位を吊下支持可能に設けているから、各複数個の巻上機構３・３・３を各別に上下調節することにより被介護者Ｗの吊下姿勢を水平及び前後方向に調節することができ、車椅子Ｋ及び便器Ｇに対する移行姿勢並びに着座姿勢を良好に調節することができ、又、この場合、上記装着部材４は、上記複数個の各巻上機構３・３・３に各別に吊下され、上半身部Ｗ1、大腿部Ｗ2及び膝部Ｗ3を吊下支持可能な上半身支持部４ａ、大腿支持部４ｂ及び膝支持部４ｃからなるので、各複数個の巻上機構３・３・３を各別に上下調節することにより被介護者Ｗの吊下姿勢を水平及び前後方向に容易に調節することができ、車椅子Ｋ及び便器Ｇに対する移行姿勢並びに着座姿勢を良好に調節することができ、又、この場合、上記走行部材２と上記複数個の巻上機構３・３・３との間に巻上機構３と隣り合う巻上機構３との間隔を調節可能な間隔調節機構９を設けてなるから、被介護者Ｗの体サイズや体型に対する融通性を高めることができ、良好な吊下状態を得ることができる。
【００２０】
尚、本発明は上記実施の形態例に限られるものではなく、ガイド機構１及び走行部材２の構造や形状、巻上機構３の構造、装着部材４の形態、旋回機構５の構造、形状等は適宜変更して設計される。
【００２１】
以上、所期の目的を充分達成することができる。
【図面の簡単な説明】
【００２２】
【図１】本発明の実施の形態例の全体側面図である。
【図２】本発明の実施の形態例の全体斜視図である。
【図３】本発明の実施の形態例の部分側面図である。
【図４】本発明の実施の形態例の部分拡大側面図である。
【図５】本発明の実施の形態例の部分縦断面図である。
【図６】本発明の実施の形態例の側面図である。
【図７】本発明の実施の形態例の後面図である。
【図８】本発明の実施の形態例の側面図である。
【図９】本発明の実施の形態例の側面図である。
【符号の説明】
【００２３】
Ｔ    トイレ室
Ｆ    構築体
Ｋ    車椅子
Ｋ1    臀部載置面
Ｇ    便器
Ｇ1    臀部載置面
Ｗ    被介護者
Ｗ1    上半身部
Ｗ2    大腿部
Ｗ3    膝部
１    ガイド機構
２    走行部材
２ａ    ガイドロール
３    巻上機構
４    装着部材
４ａ    上半身支持部
４ｂ    大腿支持部
４ｃ    膝支持部
５    旋回機構
９    間隔調節機構
【図１】
2009095472.tif 000003
【図２】
2009095472.tif 000004
【図３】
2009095472.tif 000005
【図４】
2009095472.tif 000006
【図５】
2009095472.tif 000007
【図６】
2009095472.tif 000008
【図７】
2009095472.tif 000009
【図８】
2009095472.tif 000010
【図９】
2009095472.tif 000011